(57)【要約】【課題】再給湯時の給湯温度が安定する時間を短縮させる燃料電池システム、燃料電池システム制御方法、及びそのプログラムを提供する。【解決手段】燃料電池１００からの排熱を回収し貯湯タンク１１０に蓄積した湯を給湯する排熱回収装置１０４と、燃料電池１００と排熱回収装置１０４を制御する情報端末装置１１９とを有し、排熱回収装置１０４は、貯湯タンク１１０からの湯と水道水とを混合し給湯する温度を情報端末装置１１９に設定された設定温度に温度調整を行う混合手段１０８と、混合温度を検出する混合温度検出手段１１１と、給湯流量を検出する給湯流量検出手段１１８と、給湯の終了を検出するとそこからの経過時間を計測するタイマカウント手段２０８とを備え、給湯の終了から所定の時間が経過するまでは混合手段の位置を保持することを特徴とした燃料電池システムとし、再給湯時の温度調整が容易となり、給湯温度が安定する時間を短縮できる。【選択図】図１
2008041386.tif 000002
【特許請求の範囲】
【請求項１】
燃料電池と、前記燃料電池からの排熱を回収し貯湯タンクに蓄積した湯を給湯する排熱回収装置と、前記燃料電池と前記排熱回収装置を制御する情報端末装置とを有し、前記排熱回収装置は、前記貯湯タンクからの湯と水道水とを混合し給湯する温度を前記情報端末装置に設定された設定温度に温度調整を行う混合手段と、混合温度を検出する混合温度検出手段と、給湯流量を検出する給湯流量検出手段と、給湯の終了を検出するとそこからの経過時間を計測するタイマカウント手段とを備え、給湯の終了から所定の時間が経過するまでは混合手段の位置を保持することを特徴とした燃料電池システム。
【請求項２】
前記排熱回収装置は、前記タイマカウント手段が計測する時間が、給湯の終了から所定の時間以上経過した場合、前記混合手段の位置を貯湯タンクからの湯と水道水との混合比が１対１になる位置へ移動させることを特徴とした請求項１に記載の燃料電池システム。
【請求項３】
前記排熱回収装置は、混合温度検出手段が検出する貯湯タンクからの湯と水道水との混合温度が前記情報端末装置に設定された設定温度に調節が行えた場合、混合手段の位置を記録する混合位置記録手段を有し、前記タイマカウント手段が計測する時間が給湯の終了から所定の時間以内であれば、前記情報端末装置の給湯スイッチがオフから再びオンに操作された場合でも、前記混合手段の位置を前記混合位置記録手段が記録する位置へ移動させることを特徴とした請求項１または２に記載の燃料電池システム。
【請求項４】
前記排熱回収装置は、前記タイマカウント手段が計測する時間が給湯の終了から所定の時間以上経過した後に前記情報端末装置の給湯スイッチがオフから再びオンに操作された場合、前記混合手段の位置を貯湯タンクからの湯と水道水との混合比が１対１になる位置へ移動させることを特徴とした請求項３に記載の燃料電池システム。
【請求項５】
燃料電池と、前記燃料電池からの排熱を回収し、貯湯タンクに蓄積した湯を給湯する排熱回収装置と、前記燃料電池と前記排熱回収装置を制御する情報端末装置を備えた燃料電池システムであって、前記排熱回収装置は前記貯湯タンクからの湯と水道水とを前記混合手段を用いて混合し、給湯する温度を前記情報端末装置に設定された設定温度に温度調整を行う手順と、混合温度を検出する手順と、給湯流量を検出する手順と、給湯の終了を検出するとそこからの経過時間を計測する手順とを備え、給湯の終了から所定の時間が経過するまでは混合手段の位置を保持する手順を備えた燃料電池システムの制御方法。
【請求項６】
請求項１〜４いずれか１つの燃料電池システムの少なくとも一部をコンピュータに実現させるためのプログラム。
【発明の詳細な説明】
【技術分野】
【０００１】
本発明は、燃料電池からの排熱を利用して給湯することのできる燃料電池システム、燃料電池システムの制御方法、及びそのプログラムに関するものである。
【背景技術】
【０００２】
従来、この種の燃料電池システムは、給水比例制御弁で水量を調整し、お湯と水を混合し給湯弁から出湯することができるようになっている（例えば特許文献１参照）。
【０００３】
図４は特許文献１に記載された従来の燃料電池システムの構成図を示すものである。図４に示すように、給湯が行われる時、最初にヒートポンプ給湯機４０１による出湯温度が立ち上がるまでは混合切替弁４０２がタンク４０３内の６０℃のお湯とヒートポンプ給湯機４０１からのお湯を混合し、更に温度検出サーミスタＴｗｏで温度を検出しながら、給水比例制御弁４０４で水量を調整しお湯と水を混合し、例えば４２℃のお湯を給湯弁４０５から出湯するようになっている。
【特許文献１】特開２００４−１３９９１４号公報
【発明の開示】
【発明が解決しようとする課題】
【０００４】
しかしながら、前記従来の構成では、給湯が終了し次回給湯時の混合応答性を考慮した給水比例制御弁や混合切替弁の設定位置や、また排熱回収装置を制御する情報端末装置の給湯スイッチのＯＦＦ／ＯＮ時の前記給水比例制御弁、混合切替弁のイニシャル位置について十分考慮されていない。
【０００５】
本発明は、前記従来の課題を解決するもので、給湯の終了から所定の時間が経過するまではお湯と水とを混合する混合手段の位置を保持する燃料電池システム、燃料電池システム制御方法、及びそのプログラムを提供することを目的とする。
【課題を解決するための手段】
【０００６】
前記従来の課題を解決するために、本発明は、前記排熱回収装置は前記貯湯タンクからの湯と水道水とを混合し、給湯する温度を前記情報端末装置に設定された設定温度に温度調整を行う混合手段と、混合温度を検出する混合温度検出手段と、給湯流量を検出する給湯流量検出手段と、給湯の終了を検出するとそこからの経過時間を計測するタイマカウント手段とを備え、給湯の終了から所定の時間が経過するまでは混合手段の位置を保持することを特徴としたものである。
【０００７】
これによって、給湯終了後、所定時間以内は混合手段の位置を移動させないため、再給湯時の温度調整が容易となり、給湯温度が安定する時間を短縮させることができる。
【発明の効果】
【０００８】
本発明の燃料電池システム、燃料電池システムの制御方法、及びそのプログラムは、給湯終了後、所定時間以内は混合手段の位置を移動させないため、再給湯時の温度調整が容易となり、給湯温度が安定する時間を短縮させることができる。
【発明を実施するための最良の形態】
【０００９】
第１の発明は、燃料電池と、前記燃料電池からの排熱を回収し貯湯タンクに蓄積した湯を給湯する排熱回収装置と、前記燃料電池と前記排熱回収装置を制御する情報端末装置を備えた燃料電池システムであって、前記排熱回収装置は前記貯湯タンクからの湯と水道水
とを混合し、給湯する温度を前記情報端末装置に設定された設定温度に温度調整を行う混合手段と、混合温度を検出する混合温度検出手段と、給湯流量を検出する給湯流量検出手段と、給湯の終了を検出するとそこからの経過時間を計測するタイマカウント手段とを備え、給湯の終了から所定の時間が経過するまでは混合手段の位置を保持する燃料電池システムであることを特徴とし、給湯終了後、所定時間以内は混合手段の位置を移動させないため、再給湯時の温度調整が容易となり、給湯温度が安定する時間を短縮させることができる。
【００１０】
第２の発明は、特に、第１の発明の燃料電池システムにおいて、前記排熱回収装置は、前記タイマカウント手段が計測する時間が、給湯の終了から所定の時間以上経過した場合、前記混合手段の位置を貯湯タンクからの湯と水道水との混合比が１対１になる位置へ移動させることを特徴とし、給湯がない時に混合手段を湯側または水側への全開の位置に移動させないことから、再給湯時の給湯温度が安定する時間を短縮させることができる。
【００１１】
第３の発明は、特に、第１または第２の発明の燃料電池システムにおいて、前記排熱回収装置は、混合手段の位置を記録する混合位置記録手段を有し、混合温度検出手段が検出する貯湯タンクからの湯と水道水との混合温度が前記情報端末装置に設定された設定温度に調節が行えた場合、前記混合位置記録手段へ混合位置を記録し、前記タイマカウント手段が計測する時間が給湯の終了から所定の時間以内であれば、前記情報端末装置の給湯スイッチがオフから再びオンに操作された場合、前記混合手段の位置を前記混合位置記録手段が記録した位置へ移動させることを特徴とし、給湯スイッチがオフ時に混合手段を湯側または水側への全開の位置に移動させていた場合でも、再給湯時の温度調整が容易となり、給湯温度が安定する時間を短縮させることができる。
【００１２】
第４の発明は、特に、第３の発明の燃料電池システムにおいて、前記排熱回収装置は、前記タイマカウント手段が計測する時間が給湯の終了から所定の時間以上経過した後に前記情報端末装置の給湯スイッチがオフから再びオンに操作された場合、前記混合手段の位置を貯湯タンクからの湯と水道水との混合比が１対１になる位置へ移動させることを特徴とし、給湯スイッチがオフ時に混合手段を湯側または水側への全開の位置に移動させていた場合でも、再給湯時の温度調整が容易となり、給湯温度が安定する時間を短縮させることができる。
【００１３】
第５の発明は、燃料電池と、前記燃料電池からの排熱を回収し、貯湯タンクに蓄積した湯を給湯する排熱回収装置と、前記燃料電池と排熱回収装置を制御する情報端末装置を備えた燃料電池システムであって、前記排熱回収装置は前記貯湯タンクからの湯と水道水とを前記混合手段を用いて混合し、給湯する温度を前記情報端末装置に設定された設定温度に温度調整を行う手順と、混合温度を検出する手順と、給湯流量を検出する手順と、給湯の終了を検出するとそこからの経過時間を計測する手順とを備え、給湯の終了から所定の時間が経過するまでは混合手段の位置を保持する手順を備えた燃料電池システム制御方法であることを特徴とし、給湯終了後、所定時間以内は混合手段の位置を移動させないため、再給湯時の温度調整が容易となり、給湯温度が安定する時間を短縮させることができる。
【００１４】
第６の発明は、特に、第１〜４いずれか１つの発明の燃料電池システムの機能の少なくとも一部をコンピュータに実現させるためのプログラムである。そして、プログラムであるので、電気・情報機器、コンピュータ、サーバー等のハードリソースを協働させて本発明の燃料電池システムの少なくとも一部を容易に実現することができる。また記録媒体に記録したり通信回線を用いてプログラムを配信したりすることでプログラムの配布・更新やインストール作業が簡単にできる。
【００１５】
以下本発明の実施の形態について、図面を参照しながら説明する。なお、この実施の形態によって本発明が限定されるものではない。
【００１６】
（実施の形態１）
図１は本発明の第１の実施の形態における燃料電池システムの構成図であり、図２は本発明の第１の実施の形態における燃料電池システムのブロック図を示すものである。
【００１７】
図１において、排熱回収装置１０４は燃料電池１００の発電の際に発生した排熱を回収し、貯湯タンク１１０に湯として蓄積し使用者に給湯を行う。燃料電池１００の発熱部位には冷却水を循環させるための配管があり、発電が開始されると冷却水ポンプ１０２が水を循環し熱交換器１０１に熱を集める。貯湯水ポンプ１０３は貯湯タンク１１０の下層の水を熱交換器１０１に導き、熱を回収させ貯湯タンク１１０に湯を蓄積する。また、排熱回収装置１０４には生成された湯の温度と、ある閾温度とを比較し、貯湯タンク１１０への湯の回収位置を変更する三方弁１０５が配されており、閾温度以上であれば配管１１２を介して貯湯タンク１１０の上層へ回収し、閾温度以下であれば配管１０６を介し貯湯タンク１１０の下層へ回収させる。この動作は、貯湯タンク１１０に生成された湯の積層を崩しにくいため、使用者に安定した給湯が行える効果がある。
【００１８】
排熱回収装置１０４には、配管１１４を介し、貯湯タンク１１０の湯と配管１０７からの水を混合する混合手段１０８とその下流側に混合温度検出手段１１１と給湯流量検出手段１１８が配され、補助熱源機１１３に混合水を供給する。情報端末装置１１９は排熱回収装置１０４と第１の宅内回線である宅内回線ａ１２０で接続され、情報端末装置１１９で使用者が設定した給湯の設定温度を送信する。補助熱源機１１３に供給する混合水の温度が情報端末装置１１９で設定した給湯の設定温度より低い場合、補助熱源機１１３が作動し、混合水を加温する。設定した給湯の設定温度より低くない場合、補助熱源機１１３は作動することなく給湯を行う。
【００１９】
以上のように構成された燃料電池システムについて、以下その動作、作用を説明する。図２において、情報端末装置１１９と排熱回収装置１０４は第１の宅内回線である宅内回線ａ１２０で、排熱回収装置１０４と燃料電池１００は第２の宅内回線である宅内回線ｂ２１０によって接続されている。宅内回線ａ１２０と宅内回線ｂ２１０は無線ＬＡＮ、Ｂｌｕｅｔｏｏｔｈ（登録商標）または特定小電力無線など無線を媒体として利用することも可能で、その場合、情報端末装置１１９、排熱回収装置１０４、燃料電池１００のそれぞれは無線通信ユニットを装着する必要がある。
【００２０】
排熱回収装置１０４の排熱回収制御部２０４は、燃料電池１００の発電の際に発生した排熱を回収し貯湯タンク１１０に湯を蓄積する一方、使用者に給湯を行うため、排熱回収装置１０４を構成する構成部品の制御を行う。排熱回収装置１０４の通信手段２０６は情報端末装置１１９と通信を行い、設定温度検出手段２０７は使用者が設定した給湯温度を検出する。
【００２１】
排熱回収制御部２０４は給湯流量検出手段１１８から入力される給湯流量を検出し、給湯が開始されると、残湯量検出手段１２１ａ〜１２１ｅから貯湯タンク１１０内の湯の温度を検出し、給湯の設定温度に対して貯湯タンク１１０内に湯があるか否かを判定する。湯がある場合、貯湯タンク１１０内の湯を用いて給湯を開始する。貯湯タンク１１０には燃料電池１００の排熱を回収しているため、必ずしも使用者の設定温度通りの湯が蓄積されておらず、例えば７５℃といった高温で蓄積されている場合もある。この場合、排熱回収制御部２０４は混合温度検出手段１１１のフィードバックデータを検出しながら、配管１１４からの湯と配管１１５からの水道水とを混合手段１０８を操作して混合し、使用者が設定している給湯の設定温度に温度調整を行う。排熱回収制御部２０４は混合温度検出
手段１１１のフィードバックデータを検出し、混合水の温度が情報端末装置１１９で設定した設定温度に調整が完了するまで混合手段１０８を操作する。排熱回収制御部２０４は温度調整が完了すると、混合手段１０８の混合位置を混合位置記録手段２０３に記録する。記録させるデータは、例えば混合手段１０８の駆動手段がステッピングモータの様なステップ制御が可能なモータである場合は、そのステップ数を記録し、またフィードバックパルス付きモータである場合は、ある基準位置からモータが回転したパルス数を記録する方法でもよい。また、給湯中に使用者が設定温度を変更した、あるいは貯湯タンク１１０から導く湯の温度が変化し、混合手段１０８の混合位置が変化した時は、再び温度調整が完了した混合位置を記録する。
【００２２】
排熱回収制御部２０４は給湯流量検出手段１１８から入力される給湯流量を検出し、給湯の終了を検出すると、タイマカウント手段２０８で時間の計測を開始する。そして、排熱回収制御部２０４は給湯の終了から所定の時間が経過するまで、設定温度に対して混合水の温度調整が完了した混合手段１０８の位置を変化させない。この所定の時間は、例えば洗い物や風呂や洗面でのシャワーを使用していた場合に、すぐさま給湯が開始されるであろう時間を想定し設定する。この時間設定の手段としては予めプログラムに組み込んでも良いし、情報端末装置１１９を介して使用者や本燃料電池システムの施工者が行っても良い。これによって給湯終了後、所定時間以内は混合手段の位置を移動させないため、再給湯時の温度調整が容易となり、給湯温度が安定する時間を短縮させることができる。
【００２３】
排熱回収制御部２０４は給湯の終了から所定の時間が経過すると、混合手段１０８を貯湯タンク１１０からの湯と水道水との混合比が１対１になる位置へ移動させ、タイマカウント手段２０８での時間の計測の終了とリセットを行い、混合温位置記録手段２０３に記録していた混合手段１０８の混合位置をクリアする。給湯の終了から所定時間以上経過すると、次回の給湯開始までの間に貯湯タンク１１０の湯の温度が変化している可能性がある。すなわち先に記録した混合手段１０８の位置が現在の温度調整に最適な位置であるか否か不明であるため、貯湯タンク１１０からの湯と水道水との混合比が１対１になる位置が再給湯時の温度調整を開始する最適な位置となり、給湯温度が安定する時間を短縮させることができる。
【００２４】
一方、情報端末装置１１９には給湯スイッチが搭載されており、排熱回収制御部２０４はこのスイッチのＯＮまたはＯＦＦの情報も宅内回線ａ１２０を介して取得している。給湯スイッチがＯＮである場合、排熱回収制御部２０４は給湯流量検出手段１１８から給湯の開始を検出すると上記した温度調整を行い、湯を供給する。給湯スイッチがＯＦＦである場合、排熱回収制御部２０４は給湯流量検出手段１１８から給湯の開始を検出すると、湯の供給は行わず、水の供給を行う。すなわち、混合手段１０８を水側全開にする。
【００２５】
排熱回収制御部２０４は給湯中、給湯中以外でも給湯スイッチ情報はモニターしている。給湯が終了し、給湯スイッチがＯＦＦにされ、再びＯＮにされた場合であるが、排熱回収制御部２０４は給湯の終了からタイマカウント手段２０８が計測する所定の時間が経過するまでに給湯スイッチがＯＮにされた場合、すなわち混合位置記録手段２０３に混合手段１０８の混合位置が記録されている場合は、混合手段１０８を混合位置記録手段２０３に記録した位置へ移動させる。所定の時間以内であれば貯湯タンク１１０の温度の変化がほとんどないため、再給湯時の温度調整を開始する最適な位置となり、給湯温度が安定する時間を短縮させることができる。
【００２６】
排熱回収制御部２０４は給湯の終了からタイマカウント手段２０８が計測する所定の時間が経過した後に給湯スイッチがＯＮにされた場合、すなわち混合位置記録手段２０３に混合手段１０８の混合位置が記録されていない場合は、混合手段１０８の位置は貯湯タンク１１０からの湯と水道水との混合比が１対１になる位置が再給湯時の温度調整を開始す
る最適な位置となり、給湯温度が安定する時間を短縮させることができる。
【００２７】
図３は本実施の形態の燃料電池システムの動作を説明するためのフローチャートである。排熱回収制御部２０４は、情報端末装置１１９と通信手段２０６を介して通信を行い、給湯スイッチがＯＮか否かを判定する（ＳＴＥＰ１）。給湯スイッチがＯＮである場合（ＳＴＥＰ１、Ｙｅｓ）排熱回収制御部２０４は混合位置記録手段２０３に混合位置の記録があるか否かを判定する（ＳＴＥＰ２）。混合位置記録手段２０３に混合位置の記録がある場合（ＳＴＥＰ２、Ｙｅｓ）排熱回収制御部２０４は混合位置記録手段２０３から混合位置の記録を読み出し（ＳＴＥＰ３）、混合手段１０８を記録位置へ移動させる。情報端末装置１１９との通信で給湯スイッチがＯＦＦである場合（ＳＴＥＰ１、Ｎｏ）排熱回収制御部２０４は混合手段１０８を水側全開の位置へ移動させ（ＳＴＥＰ１４）、混合位置記録手段２０３に混合位置の記録がない場合（ＳＴＥＰ２、Ｎｏ）は、混合手段１０８を貯湯タンク１１０からの湯と水との混合比が１対１になる位置へ移動させる（ＳＴＥＰ１３）。
【００２８】
排熱回収制御部２０４は給湯流量検出手段１１８から入力される給湯流量をから給湯の有無を判定し（ＳＴＥＰ５）給湯の開始を検出すると（ＳＴＥＰ５、Ｙｅｓ）給湯スイッチがＯＮか否かを判定する（ＳＴＥＰ６）。給湯スイッチがＯＮである場合（ＳＴＥＰ６、Ｙｅｓ）排熱回収制御部２０４が給湯の終了から混合手段１０８の位置を保持する所定の時間の計測（タイマカウント）をクリアする（ＳＴＥＰ７）。排熱回収制御部２０４の設定温度検出手段２０７は、情報端末装置１１９と通信手段２０６を介して通信を行い、使用者が設定している給湯の設定温度を取得する（ＳＴＥＰ８）。そして、混合温度検出手段１１１のフィードバックデータを検出し（ＳＴＥＰ９）、混合手段１０８を操作して混合水の温度を情報端末装置１１９で設定した設定温度に温度調整を行う（ＳＴＥＰ１０）。次に排熱回収制御部２０４は混合水の温度が設定温度に調整が完了したか否かを判定し（ＳＴＥＰ１１）、調整が完了した場合は（ＳＴＥＰ１１、Ｙｅｓ）混合手段１０８の位置を混合位置記録手段２０３に記録し、先頭の処理（ＳＴＥＰ１）へ戻る。
【００２９】
排熱回収制御部２０４は混合水の温度が設定温度に調整が完了していない場合（ＳＴＥＰ１１、Ｎｏ）、混合温度検出手段１１１のフィードバックデータを検出し、繰り返し混合手段１０８を操作して混合水の温度を設定温度に調整する（ＳＴＥＰ５〜ＳＴＥＰ１１）。給湯の開始を検出し（ＳＴＥＰ５、Ｙｅｓ）、給湯スイッチがＯＮでない場合（ＳＴＥＰ６、Ｎｏ）排熱回収制御部２０４は湯を供給しないことから、混合手段１０８の操作は何も行わない（ＳＴＥＰ１４で混合手段１０８を水側全開の位置へ移動させている）。
【００３０】
排熱回収制御部２０４は給湯中、給湯流量検出手段１１８から入力される給湯流量をから給湯の有無を判定し（ＳＴＥＰ５）給湯の終了を検出すると（ＳＴＥＰ５、Ｎｏ）、混合位置記録手段２０３に混合手段１０８の位置が記録されているか否かを判定する（ＳＴＥＰ１５）。混合位置記録手段２０３に混合手段１０８の位置が記録されている場合（ＳＴＥＰ１５、Ｙｅｓ）、排熱回収制御部２０４は混合手段１０８の位置を混合位置記録手段２０３に記録した位置、すなわち現在の位置で継続し、貯湯タンク１１０からの湯側全開、水道水側全開、あるいは湯対水の混合比が１対１のいずれの位置へも移動させない（ＳＴＥＰ１６）。これによって給湯終了後、所定時間以内は混合手段の位置を移動させないため、再給湯時の温度調整が容易となり、給湯温度が安定する時間を短縮させることができる。次に排熱回収制御部２０４は給湯の終了から混合手段１０８の位置を保持する所定の時間の計測（タイマカウント）を開始し（ＳＴＥＰ１７）、所定の時間が経過したか否かを判定する（ＳＴＥＰ１８）。給湯の終了から所定の時間が経過した場合（ＳＴＥＰ１８、Ｙｅｓ）、排熱回収制御部２０４はタイマカウントを終了、クリアを行う（ＳＴＥＰ１９）。次に排熱回収制御部２０４は混合位置記録手段２０３に混合手段１０８の位置の記録をクリアする（ＳＴＥＰ２０）。
【００３１】
排熱回収制御部２０４は混合位置記録手段２０３に混合手段１０８の位置が記録されていない場合（ＳＴＥＰ１５、Ｎｏ）、及びタイマカウントが所定の時間以上経過していない場合は（ＳＴＥＰ１８、Ｎｏ）先頭の処理（ＳＴＥＰ１）へ戻る。
【００３２】
以上のように、本実施の形態においては、燃料電池１００と、前記燃料電池１００からの排熱を回収し、貯湯タンクに蓄積した湯を給湯する排熱回収装置１０４と、前記燃料電池１００と排熱回収装置１０４を制御する情報端末装置１１９を備えた燃料電池システムであって、前記排熱回収装置１０４は前記貯湯タンク１１０からの湯と水道水とを混合し、給湯する温度を前記情報端末装置１１９に設定された設定温度に温度調整を行う混合手段１０８と、混合温度を検出する混合温度検出手段１１１と、給湯流量を検出する給湯流量検出手段１１８と、給湯の終了を検出するとそこからの経過時間を計測するタイマカウント手段２０８とを備え、給湯の終了から所定の時間が経過するまでは混合手段１０８の位置を保持することを特徴とした燃料電池システムであり、これによって給湯終了後、所定時間以内は混合手段１０８の位置を移動させないため、再給湯時の温度調整が容易となり、給湯温度が安定する時間を短縮させることができる。
【００３３】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムであれば、磁気メディアや光メディアなどの記録媒体に記録したりインターネットなどの通信回線を用いて配信することでプログラムの配布・更新やインストール作業が簡単にできる。
【産業上の利用可能性】
【００３４】
以上のように、本発明にかかる、燃料電池システム、燃料電池システムの制御方法、及びそのプログラムは、家庭用の燃料電池システムに限らずオフィスや工場などの業務用であっても有用に利用できる。
【図面の簡単な説明】
【００３５】
【図１】本発明の実施の形態１における燃料電池システムの構成図
【図２】本発明の実施の形態１における燃料電池システムのブロック図
【図３】本発明の実施の形態１における燃料電池システムの動作を説明するためのフローチャート
【図４】従来の燃料電池システムの構成図
【符号の説明】
【００３６】
１００  燃料電池
１０４  排熱回収装置
１０８  混合手段
１１０  貯湯タンク
１１１  混合温度検出手段
１１８  給湯流量検出手段
１１９  情報端末装置
２０３  混合位置記録手段
２０８  タイマカウント手段
【図２】
2008041386.tif 000003
【図３】
2008041386.tif 000004
【図４】
2008041386.tif 000005
【図１】
2008041386.tif 000006